(57)【要約】【課題】鼻隠し板側に近付けて取り付けられた軒樋に用いられ、横殴りの雨や軒樋からの跳ね返り水が鼻隠し板側に飛散することを防止し、軒先部を腐食から防ぐことのできる軒樋水切り構造を提供する。【解決手段】軒樋８を吊支する軒樋吊り具Ａと水切り板Ｂとからなり、上記軒樋吊り具Ａは被取着面に固着される固定板部１と軒樋を吊り下げ支持する軒樋吊支部２と水切り係合部３とからなり、該水切り係合部３は、上記固定板部１と軒樋吊支部２との間に連設されるとともに、該水切り板Ｂは水切り本体部４と逆Ｌ字形係止部４１とからなり、該逆Ｌ字形係止部４１は上記水切り係合部３に係合し、上記水切り本体部４が軒樋吊支部２１上に保持されてなる軒樋水切り構造。【選択図】図８
2009150154.tif 000002
【特許請求の範囲】
【請求項１】
軒樋の水切り構造であって、軒樋を吊支する軒樋吊り具と水切り板とからなり、上記軒樋吊り具は被取着面に固着される固定板部と軒樋を吊り下げ支持する軒樋吊支部と水切り係合部とからなり、該水切り係合部は、上記固定板部と軒樋吊支部との間に連設されるとともに、該水切り板は水切り本体部と逆Ｌ字形係止部とからなり、該逆Ｌ字形係止部は上記水切り係合部に係合し、上記水切り本体部が軒樋吊支部上に保持されてなる軒樋水切り構造。
【請求項２】
上記軒樋吊り具を構成する水切り係合部の前面側に突出係止部が設けられるとともに、上記水切り板の逆Ｌ字形係止部の垂下前面板には上記突出係止部によって係止される係止孔部が穿たれている請求項１に記載の軒樋水切り構造。
【請求項３】
上記軒樋吊り具を構成する水切り係合部の裏面側の上部が切り欠かれて切欠部が設けられるとともに、上記水切り板の逆Ｌ字形係止部の上面板の裏面側には垂下爪部が垂設され、該垂下爪部が上記切欠部に嵌合、係止してなる請求項１に記載の軒樋水切り構造。
【発明の詳細な説明】
【技術分野】
【０００１】
本願発明は、軒樋の水切り構造に係り、さらに詳しくは、軒樋吊り具に取り付けられ、軒樋内方へ斜め下方に延出して設けられる軒樋水切り構造に関するものである。
【背景技術】
【０００２】
建物の屋根に降った雨水は、軒先に取り付けられた軒樋に流れて、集水ます等を経て縦樋等の排水経路を経て排出される。通常、屋根の先端部から落下する雨水は、軒樋に流れ込み、上記のようにして排水されるが、大雨の際等、水勢が強いときや横殴りの風がある場合、軒樋から跳ね返り、あるいは溢れた雨水は鼻隠し板側に回り込み、鼻隠し板を損傷させ、また、駆体の一部である軒先部を腐食させる等の原因ともなる。
【０００３】
一方、下記、特開２０００−１２９８７３号公報に記載の軒樋吊具は、上記軒樋においては、屋根に降雪した雪が滑り落ちた場合、雪の積雪荷重が、軒樋の前側壁の上端に直接作用することになり、積雪荷重によって軒樋や軒樋継手が変形したり、あるいは破損を受けるという問題を解決することを目的とし、積雪荷重による雪害を防止することができ、しかも、一種類の軒樋吊具で、各種屋根勾配の住宅に対応することができる軒樋吊具が提案されている。
【０００４】
すなわち、上記特許文献１に記載の軒樋吊具は、建物の鼻隠し板に取り付けられる取付部と、この取付部の前方に配設された軒樋支持部とを備え、この軒樋支持部の屋外側端部の上方に、軒樋の上方開口部をほぼ覆うカバー材が係止される第一の係止突起と、第二の係止突起とが一体に設けられていることを特徴としていると記載されている。
【０００５】
そして、上記したように、積雪荷重による雪害を防止することができるとともに、一種類の軒樋吊具で、いろいろな屋根勾配の住宅に対応することができると、その効果が述べられている。
【特許文献１】特開２０００−１２９８７３号公報
【発明の開示】
【発明が解決しようとする課題】
【０００６】
しかしながら、雪国等の豪雪地帯では、積雪の重みを避けるため、軒樋は鼻隠し板側に近付けて取り付けることが行われており、強風時には、横殴りの雨や、軒樋から跳ね返った雨水が軒先部の裏側へ浸入し、また鼻隠し板の表面に飛散して鼻隠し板側の駆体が湿気により腐食することが多いという問題がある。しかしながら、上記した特許文献１に記載のカバー材を用いても横殴りの雨や、軒樋からの跳ね返り水による鼻隠し板への飛散を防止することは困難である。
【０００７】
本発明は、上記背景技術に鑑みてなされたものであり、その目的は、積雪の重みを避けて、できるだけ鼻隠し板側に近付けて取り付けられた軒樋に用いられ、暴風雨の際の横殴りの雨や軒樋からの跳ね返り水が鼻隠し板側に回り込んで鼻隠し板等の損傷することを防止し、また、駆体の一部である軒先部を腐食から防ぐことのできる軒樋水切り構造を提供することである。
【課題を解決するための手段】
【０００８】
上記課題を解決するために、本願請求項１記載の発明に係る軒樋水切り構造は、軒樋を吊支する軒樋吊り具と水切り板とからなり、上記軒樋吊り具は被取着面に固着される固定板部と軒樋を吊り下げ支持する軒樋吊支部と水切り係合部とからなり、該水切り係合部は、上記固定板部と軒樋吊支部との間に連設されるとともに、該水切り板は水切り本体部と逆Ｌ字形係止部とからなり、該逆Ｌ字形係止部は上記水切り係合部に係合し、上記水切り本体部が軒樋吊支部上に保持されてなることを特徴としている。
【０００９】
本願請求項２記載の発明は、上記請求項１に記載の軒樋水切り構造において、上記軒樋吊り具を構成する水切り係合部の前面側に突出係止部が設けられるとともに、上記水切り板の逆Ｌ字形係止部の垂下前面板には上記突出係止部によって係止される係止孔部が穿たれていることを特徴としている。
【００１０】
本願請求項３記載の発明は、上記請求項１に記載の軒樋水切り構造において、上記軒樋吊り具を構成する水切り係合部の裏面側の上部が切り欠かれて切欠部が設けられるとともに、上記水切り板の逆Ｌ字形係止部の上面板の裏面側には垂下爪部が垂設され、該垂下爪部が上記切欠部に嵌合、係止してなることを特徴としている。
【発明の効果】
【００１１】
本願請求項１に記載の発明に係る軒樋水切り構造においては、固定板部と軒樋を吊り下げ支持する軒樋吊支部と上記固定板部と軒樋吊支部との間に連設された水切り係合部とからなる軒樋吊り具と水切り板とから構成され、上記水切り板の逆Ｌ字形係止部が上記水切り係合部にしっかりと係合するため、寒冷地において積雪の重みを避けるため鼻隠し板側に近付けて取り付けられた軒樋の上方に上記水切り板が延出し、横殴りの雨や軒樋からの跳ね返り水が鼻隠し板側に回り込むのを防止し鼻隠し板や淀が腐食することを防ぐ。
【００１２】
また、逆Ｌ字形係止部の上面部の端部を下方に折曲して垂下係止片とし、この垂下係止片を、上記固定板部をビス固定して軒樋吊り具を鼻隠し板に固着するとき、垂下係止片も共に水切り係合部を介してしっかりと鼻隠し板に締着される。
【００１３】
さらに、上記水切り板の水切り本体部が軒樋吊支部上に保持されるため、一定間隔で設けられた上記軒樋吊り具が、本来の軒樋を吊り下げ支持する機能と併せて、水切り板を保持するための保持部としても機能させることができる。
【００１４】
本願請求項２に記載の発明に係る軒樋水切り構造においては、特に、上記水切り係合部の前面側に突出係止部が設けられ、上記水切り板の逆Ｌ字形係止部の垂下前面板には上記突出係止部によって係止される係止孔部が穿たれ、この係止孔部が上記突出係止部によって係止されることにより、水切り板は水切り係合部にしっかりと係合される。
【００１５】
本願請求項３に記載の発明にかかる軒樋水切り構造においては、特に、上記水切り係合部の裏面側の上部を切り欠いて切欠部を設け、この切欠部に上記水切り板の逆Ｌ字形係止部上面板に垂設された垂下爪部を嵌合、係止することにより水切り板は水切り係合部にしっかりと係合される。さらに、上記軒樋吊り具の固定板部に穿たれた固定用ビス孔を挿通するビスによって軒樋吊り具を鼻隠し板に固着することにより、垂下爪部も水切り係合部を介して共にしっかりと鼻隠し板に締着される。
【発明を実施するための最良の形態】
【００１６】
以下、本願発明に係る軒樋水切り構造の第１実施形態について図面を参照して詳細に説明する。図１は、上記第１実施形態にかかる軒樋水切り構造の基体を構成する軒樋吊り具Ａを示す斜視図である。図２は上記軒樋吊り具Ａと共に上記軒樋水切り構造を構成する水切り板Ｂを示す斜視図であり、該水切り板Ｂは水切り本体部４と、逆Ｌ字形の係止部４１とからなり、該逆Ｌ字形係止部４１の上面部の端部は下方に折曲され、垂下係止片４１１とされている。
【００１７】
図１に示すように、上記軒樋吊り具Ａは、鼻隠し板等の被取着面に固着される固定板部１と図外軒樋を吊り下げ支持する軒樋吊支部２と上記水切り板Ｂを係合する水切り係合部３とからなり、該水切り係合部３は、上記固定板部１と軒樋吊支部２との間に連設されている。また、上記固定板部１には鼻隠し板等の被取着面に固着するためのビスが挿通する固定用ビス孔１１が設けられている。
【００１８】
上記軒樋吊支部２は、上記固定板部１に連設される吊支部本体２１と補強部２２とを含んでなり、該吊支部本体２１は図外軒樋の前耳部を掛止する前耳掛止部２１１と図外軒樋の後耳部を掛止する後耳掛止部２１２とから構成されている。図１に示されるように、上記水切り係合部３は断面略ロ字形とされ、吊支部本体２１と固定板部１との接続部を構成するように、その上面３１が固定板部１の上面と面一となるように両者に接して設けられている。また、吊支部本体２１上には、上記水切り板Ｂの水切り本体部４を保持する水切り板保持部２１３が設けられている。
【００１９】
図３は、上記軒樋吊り具Ａの軒樋吊支部２に水切り板Ｂを保持した第１実施形態にかかる軒樋水切り構造を示す部分側断面図である。図３に示すように、水切り板Ｂを構成する逆Ｌ字形係止部４１が上記軒樋吊り具Ａの水切り係合部３の上面３１に載置され、逆Ｌ字形係止部の上面部の端部を下方に折曲して形成された垂下係止片４１１が上記固定板部１の裏面に係止される。また、水切り本体部４が吊支部本体２１上の水切り板保持部２１３に保持され、かくして水切り板Ｂは水切り係合部３にしっかりと係合される。
【００２０】
ここで、上記固定板部１は、固定用ビス孔１１を挿通する固定用ビスにより図外鼻隠し板に固着されるため、垂下係止片４１１は固定板部１と鼻隠し板との間に挟まれるように固定される。このようにして、水切り板Ｂは、図外軒樋の長手方向に沿って、一定間隔で設けられた複数の軒樋吊り具Ａの軒樋吊支部２上面の水切り板保持部２１３によって保持されるとともに、図外軒樋の上方に延出して設けられる。
【００２１】
図４は、本願発明に係る軒樋水切り構造の第２実施形態において、上記軒樋水切り構造の基体を構成する軒樋吊り具Ｃを示す斜視図である。図４に示すように、軒樋吊り具Ｃにおいては、水切り係合部３の前面側に鉤形の突出係止部３２が設けられるとともに、裏面側の上部が切り欠かれて切欠部３３が設けられている。
【００２２】
図５は、図４に示す第２実施形態にかかる軒樋吊り具Ｃに組み付けられる水切り板Ｄを示す斜視図であり、図６は裏面図である。図５に示すように、上記逆Ｌ字形係止部４１の垂下前面板には、軒樋吊り具Ｃが配設される間隔と同じ間隔で係止孔部４２が穿たれ、この係止孔部４２を通して上記鉤形の突出係止部３２が現出し、水切り板Ｄを支持する。
【００２３】
一方、図６に示すように、水切り板Ｄの逆Ｌ字形係止部４１の上面板の裏面側には、垂下爪部４１２が軒樋吊り具Ｃの配設間隔と同じ間隔で垂設され、図４に示す切欠部３３に嵌合する。このようにして、水切り板Ｄは上記軒樋吊り具Ｃの水切り係合部３に嵌合して係止される。
【００２４】
図７は、上記第２実施形態にかかる水切り板Ｄを軒樋吊り具Ｃに組み付けた状態を示す部分側断面図である。図７に示すように、上記水切り板Ｄは水切り係合部３に係合するとともに、上記係止孔部４２を通して上記鉤形の突出係止部３２によって支持され、垂下爪部４１２は図４に示す切欠部３３に嵌合して係止される。このようにして、水切り板Ｄは軒樋吊り具Ｃにしっかりと組み付けられ、第２実施形態にかかる軒樋水切り構造とすることができる。
【００２５】
図８は、上記第２実施形態にかかる軒樋水切り構造を、鼻隠し板５と淀６が形成するコーナー部で鼻隠し板５に固定用ビス７で固着し、軒樋８を吊持した状態を示す部分断面側面図である。上記軒樋吊り具Ｃは一定間隔、例えば、９０ｃｍピッチで固定用ビス７によって鼻隠し板５に固定され、水切り板Ｄは軒樋８の上方に延出して設けられている。このとき、固定用ビス７で軒樋吊り具Ｃは鼻隠し板５にしっかりとビス固定され、また、垂下爪部４１２も水切り係合部３を介して共にしっかりと締着される。
【００２６】
一方、軒樋８は、その前耳部８１を吊り下げ部本体２１の前耳掛止部２１１に掛止され、その後耳部８２を吊り下げ部本体２１の後耳掛止部２１２に掛止され、かくして、軒樋８は、軒樋吊り具Ｃによって吊り下げ支持されるとともに、その上方には上記水切り板Ｄが延出して設けられる。このようにすることによって、軒先の長手方向全体に沿って設けられた本願発明にかかる軒樋水切り構造は、軒樋８と軒先との間の全長に亘って、暴風雨時や、横殴りの雨、軒樋８から跳ね返った雨水等が屋内側に浸入することを防ぎ、鼻隠し板５や淀６等に雨水や跳ね返り水が飛散して、軒先部を傷めないように保護する。
【００２７】
なお、第２実施形態においては、水切り板Ｄは上記係止孔部４２を通して現出した鉤形の突出係止部３２によって支持されると共に、垂下爪部４１２が上記切欠部３３に嵌合、係止する形態を示しているが、いずれか一方の形態のみを採用してもよい。すなわち、上記係止孔部４２を通して現出した鉤形の突出係止部３２によって水切り板Ｄを支持する形態、または、切欠部３３に垂下爪部４１２を嵌合、係止して水切り板Ｄを支持する形態としてもよい。このように本願発明は設計変更自在であり、特許請求の範囲を逸脱しない限り、本願発明の技術的範囲に属する。
【図面の簡単な説明】
【００２８】
【図１】本願発明の第１実施形態にかかる軒樋水切り構造を構成する軒樋吊り具を示す斜視図。
【図２】上記第１実施形態の軒樋水切り構造にかかる水切り板を示す斜視図。
【図３】本願発明の第１実施形態にかかる軒樋水切り構造を示す部分側断面図。
【図４】本願発明の第２実施形態にかかる軒樋水切り構造を構成する軒樋吊り具を示す斜視図。
【図５】上記第２実施形態の軒樋水切り構造にかかる水切り板を示す斜視図。
【図６】上記第２実施形態の軒樋水切り構造にかかる水切り板の裏面を示す裏面図。
【図７】本願発明の第２実施形態にかかる軒樋水切り構造を示す部分側断面図。
【図８】上記第２実施形態にかかる軒樋水切り構造を鼻隠し板に固定用ビスで固着し、軒樋を吊持した状態を示す部分断面側面図。
【符号の説明】
【００２９】
Ａ      本願発明の第１実施形態に係る軒樋水切り構造を構成する軒樋吊り具
Ｂ      本願発明の第１実施形態に係る軒樋水切り構造を構成する水切り板
Ｃ      本願発明の第２実施形態に係る軒樋水切り構造を構成する軒樋吊り具
Ｄ      本願発明の第２実施形態に係る軒樋水切り構造を構成する水切り板
１      固定板部
１１    固定用ビス孔
２      軒樋吊支部
２１    吊支部本体
２１１  前耳掛止部
２１２  後耳掛止部
２１３  水切り板保持部
２２    補強部
３      水切り係合部
３１    上面
３２    突出係止部
３３    切欠部
４      水切り本体部
４１    逆Ｌ字形係止部
４１１  垂下係止片
４１２  垂下爪部
４２    係止孔部
５      鼻隠し板
６      淀
７      固定用ビス
８      軒樋
８１    前耳部
８２    後耳部
【図１】
2009150154.tif 000003
【図２】
2009150154.tif 000004
【図３】
2009150154.tif 000005
【図４】
2009150154.tif 000006
【図５】
2009150154.tif 000007
【図６】
2009150154.tif 000008
【図７】
2009150154.tif 000009
【図８】
2009150154.tif 000010